(57)【要約】【課題】防水機能を持たない製品に比べて大型化することなく電子秤に防水機能を付与することができる電子秤の防水構造を提供する。【解決手段】被計量物が載置される計量皿３と、計量皿３の下面を支持し、該計量皿３に載置された被計量物の荷重を受けて可動する皿受け部材９と、皿受け部材９に連結されて被計量物の荷重を測定する荷重測定機構７と、上面に皿受け部材９の外形よりも大きな開口部２ａ１を有するケース２とを有し、皿受け部材９が開口部２ａ１の内側に配置されるように該皿受け部材９及び荷重測定機構７がケース２内に収容され、計量皿３とケース２との間からの浸水に対して、柔軟性を有する合成樹脂材又はゴム材からなる防水性付与部材１０によって荷重測定機構７に防水性が付与される電子秤の防水構造において、防水性付与部材１０を、別途の取付け部品を用いることなく、皿受け部材９に接して設けた。【選択図】図２
2014106153.tif 000002
【特許請求の範囲】
【請求項１】
被計量物が載置される計量皿と、
前記計量皿の下面を支持し、該計量皿に載置された被計量物の荷重を受けて可動する皿受け部材と、
前記皿受け部材に連結されて被計量物の荷重を測定する荷重測定機構と、
上面に前記皿受け部材の外形よりも大きな開口部を有するケースとを有し、
前記皿受け部材が前記開口部の内側に配置されるように該皿受け部材及び前記荷重測定機構が前記ケース内に収容され、前記計量皿と前記ケースとの間からの浸水に対して、柔軟性を有する合成樹脂材又はゴム材からなる防水性付与部材によって前記荷重測定機構に防水性が付与される電子秤の防水構造において、
前記防水性付与部材は、別途の取付け部品を用いることなく、前記皿受け部材に接して設けられていることを特徴とする電子秤の防水構造。
【請求項２】
前記防水性付与部材は、前記皿受け部材の周囲又は上面と前記ケースとに亘って設けられ、前記皿受け部材と前記ケースとの間に形成される前記開口部の間隙を塞いでいることを特徴とする請求項１記載の電子秤の防水構造。
【請求項３】
前記皿受け部材の外周と前記開口部の内周とに亘って、前記防水性付与部材が一体成形されていることを特徴とする請求項２記載の電子秤の防水構造。
【請求項４】
前記皿受け部材の上面と前記ケースの上面とに亘って、シート状の前記防水性付与部材が接着されていることを特徴とする請求項２記載の電子秤の防水構造。
【請求項５】
前記皿受け部材と前記荷重受け部材とが、該皿受け部材の外周から該荷重測定機構に亘って前記防水性付与部材によって一体に被覆されていることを特徴とする請求項１記載の電子秤の防水構造。
【発明の詳細な説明】
【技術分野】
【０００１】
本発明は電子秤の防水構造に関し、詳しくは、防水機能を持たない製品に比べて大型化することなく電子秤に防水機能を付与することができる電子秤の防水構造に関する。
【背景技術】
【０００２】
被計量物の荷重を電気的に計測する電子秤は、身近なところではキッチンスケールとして利用されている。近年、キッチンスケール業界の動向として、収納に便利な薄型のものが主流となっているが、特に、キッチンスケールは食品と触れることから、衛生面への十分な配慮が求められており、「洗えるスケール」のニーズも高まってきている。このため、キッチンスケールの機能として防水機能が注目されている。
【０００３】
防水機能は、一般にケースの継ぎ目にパッキンを介在させることによって得ることができ、これによってケース内部の回路ユニット等の防水を図ることができる。しかし、キッチンスケールは被計量物の荷重を受けて可動する可動部材である皿受け部材を有しているため、この皿受け部材と固定部材であるケースとの間に間隙を必要とし、この間隙から水が浸入するおそれがある。このため、皿受け部材と連結されている電気的部品である荷重測定機構が水を被るおそれがあるため、この荷重測定機構を水から保護する必要がある。
【０００４】
従来、この間隙に防水構造を施したキッチンスケールが提案されている（例えば特許文献１〜３）。しかし、いずれも固定部材と被計量物の荷重を受ける可動部材とに亘ってダイヤフラムやベローズ等を配置し、これを押え板やＯリング等を用いて止着することで防水性を付与しているため、防水構造が複雑となる。また、製品形状としてダイヤフラムやベローズを押え板やＯリング等によって止着するための作業スペースを形成しておく必要があり、非防水の製品に比べて製品高さ（特に計量皿の取付け高さ）が高くなってしまう。その結果、非防水の製品に比べて２倍近い厚さを有する大型化した製品となってしまい、収納に便利な薄型が好まれるキッチンスケール業界において商品としての訴求力が弱いという問題がある。
【先行技術文献】
【特許文献】
【０００５】
【特許文献１】特開２００３−３２２５５６号公報
【特許文献２】特開２００５−１４０６２４号公報
【特許文献３】特開２００７−１０７９８９号公報
【発明の概要】
【発明が解決しようとする課題】
【０００６】
そこで、本発明は、防水機能を持たない製品に比べて大型化することなく電子秤に防水機能を付与することができる電子秤の防水構造を提供することを課題とする。
【０００７】
本発明の他の課題は、以下の記載により明らかとなる。
【課題を解決するための手段】
【０００８】
上記課題は、以下の発明によって解決される。
【０００９】
（請求項１）
被計量物が載置される計量皿と、
前記計量皿の下面を支持し、該計量皿に載置された被計量物の荷重を受けて可動する皿受け部材と、
前記皿受け部材に連結されて被計量物の荷重を測定する荷重測定機構と、
上面に前記皿受け部材の外形よりも大きな開口部を有するケースとを有し、
前記皿受け部材が前記開口部の内側に配置されるように該皿受け部材及び前記荷重測定機構が前記ケース内に収容され、前記計量皿と前記ケースとの間からの浸水に対して、柔軟性を有する合成樹脂材又はゴム材からなる防水性付与部材によって前記荷重測定機構に防水性が付与される電子秤の防水構造において、
前記防水性付与部材は、別途の取付け部品を用いることなく、前記皿受け部材に接して設けられていることを特徴とする電子秤の防水構造。
【００１０】
（請求項２）
前記防水性付与部材は、前記皿受け部材の周囲又は上面と前記ケースとに亘って設けられ、前記皿受け部材と前記ケースとの間に形成される前記開口部の間隙を塞いでいることを特徴とする請求項１記載の電子秤の防水構造。
【００１１】
（請求項３）
前記皿受け部材の外周と前記開口部の内周とに亘って、前記防水性付与部材が一体成形されていることを特徴とする請求項２記載の電子秤の防水構造。
【００１２】
（請求項４）
前記皿受け部材の上面と前記ケースの上面とに亘って、シート状の前記防水性付与部材が接着されていることを特徴とする請求項２記載の電子秤の防水構造。
【００１３】
（請求項５）
前記皿受け部材と前記荷重受け部材とが、該皿受け部材の外周から該荷重測定機構に亘って前記防水性付与部材によって一体に被覆されていることを特徴とする請求項１記載の電子秤の防水構造。
【発明の効果】
【００１４】
本発明によれば、防水機能を持たない製品に比べて大型化することなく電子秤に防水機能を付与することができる電子秤の防水構造を提供することができる。
【図面の簡単な説明】
【００１５】
【図１】本発明の第１の態様に係る防水構造が設けられた電子秤の全体斜視図
【図２】第１の態様に係る電子秤の内部構造を示す縦断面図
【図３】第１の態様に係る電子秤の計量皿を取り外した状態を示す全体斜視図
【図４】第１の態様に係る電子秤の皿受け部材と上ケースとの部分断面図
【図５】本発明の第２の態様に係る防水構造が設けられた電子秤の内部構造を示す縦断面図
【図６】第２の態様に係る電子秤の計量皿を取り外した状態を示す部分断面図
【図７】第２の態様に係る電子秤の計量皿を取り外した状態を示す全体斜視図
【図８】本発明の第３の態様に係る防水構造が設けられた電子秤の内部構造を示す縦断面図
【発明を実施するための形態】
【００１６】
本発明に係る電子秤の防水構造は、被計量物が載置される計量皿と、前記計量皿の下面を支持し、該計量皿に載置された被計量物の荷重を受けて可動する皿受け部材と、前記皿受け部材に連結されて被計量物の荷重を測定する荷重測定機構と、上面に前記皿受け部材の外形よりも大きな開口部を有するケースとを有し、前記皿受け部材が前記開口部の内側に配置されるように該皿受け部材及び前記荷重測定機構が前記ケース内に収容され、前記計量皿と前記ケースとの間からの浸水に対して、柔軟性を有する合成樹脂材又はゴム材からなる防水性付与部材によって前記荷重測定機構に防水性が付与される電子秤の防水構造において、前記防水性付与部材は、別途の取付け部品を用いることなく、前記皿受け部材に接して設けられてなるものである。
【００１７】
一般に、被計量物の荷重を受けて可動する可動部材である皿受け部材と、固定部材であるケースとの間には、荷重を受けた際に皿受け部材がケースに対して動くことができる程度の間隙を必要とする。また、計量皿とケースとの間は、被計量物の荷重によって計量皿が下降してもケースと干渉することのない程度に離間している。このため、計量皿とケースとの間から水が浸入し、間隙を通って電気部品である荷重測定機構等が水を被ることのないように、従来ではダイヤフラムやベローズ等を押え板やＯリング等の別途の取付け部品を用いて止着することで間隙を塞ぐようにしており、構造が複雑となるとともに、取付け部品の組み付け作業スペースを形成する必要があることから製品が大型化してしまっていた。
【００１８】
本発明は、防水性付与部材を、別途の取付け部品を用いることなく、皿受け部材に接して設けることで、外部からの浸水に対して荷重測定機構に防水性を付与しているため、防水性付与部材を設けるために別途の取付け部品を用いて止着する等の組み付け作業を行う必要がない。このため、製品形状として防水性付与部材を取り付けるための部品の組み付け作業スペースを形成することが不要となり、製品の大型化を抑制することができる。
【００１９】
被計量物の荷重を受けて可動する皿受け部材は、上端が計量皿の下面を支持し、下端が被計量物の荷重を測定する荷重測定機構と連結され、計量皿に載置された被計量物の荷重を荷重測定機構に伝達する。
【００２０】
荷重測定機構は皿受け部材と連結され、皿受け部材の被計量物の荷重に応じた下降動作に応じて歪み変形し、この歪み変形を電気的に測定するものであり、一般にはロードセルによって構成される。ロードセルは、荷重を受けて歪み変形する起歪体と、この起歪体の歪み変形を電気的に検出する歪みゲージとを少なくとも有して構成される。
【００２１】
また、皿受け部材及び荷重測定機構はケースに収容される。皿受け部材は上端に計量皿を配置させるため、通常はケースの上面から表面に露出するように収容されるが、ケースに対して固定されておらず、ケースの上面に形成された開口部の内側に配置される。皿受け部材の周囲と開口部の内周との間には皿受け部材が上下に変位可能となる間隙を有している。
【００２２】
防水性付与部材は、この皿受け部材の周囲又は上面とケースとに亘って設けられ、皿受け部材とケースとの間に形成される開口部の間隙を塞ぐように設けることができる。これによって皿受け部材とケースとの間がシールされることで、この間隙からの水の浸入は阻止される。
【００２３】
間隙をシールする一つの態様としては、間隙を塞ぐように、皿受け部材の外周と開口部の内周とに亘って、柔軟性を有する合成樹脂材のみ又は柔軟性を有するゴム材のみからなる防水性付与部材を一体成形することである。
【００２４】
間隙を塞ぐように一体成形されることにより、皿受け部材とケースとの間の間隙からの水の浸入が阻止され、防水機能が発揮される。合成樹脂材又はゴム材は成形型によって皿受け部材とケースとに亘って一体成形されるため、押え板やＯリング等の別体の取付け部品を用いて組み付け作業する必要がなく、防水構造も簡素化される。
【００２５】
間隙をシールする他の態様としては、間隙を塞ぐように、皿受け部材の上面とケースの上面とに亘って、シート状の防水性付与部材を接着することである。
【００２６】
間隙を塞ぐようにシート状の合成樹脂材のみ又はシート状のゴム材のみからなる防水性付与部材が接着されることにより、皿受け部材とケースとの間の間隙からの水の浸入が阻止され、防水機能が発揮される。シートを接着して間隙を被覆するだけでよいため、押え板やＯリング等の別体の取付け部品を用いて組み付け作業する面倒な作業の必要がなく、防水構造も簡素化される。シート状の防水性付与部材は、薄いシート状又はフィルム状とすることができる。
【００２７】
本発明の更に他の態様は、皿受け部材とケースとの間に形成される間隙を通して浸入する水から遮蔽するように、皿受け部材と荷重受け部材とを、該皿受け部材の外周から該荷重測定機構に亘って防水性付与部材によって一体に被覆することである。
【００２８】
皿受け部材と荷重測定機構とに亘って柔軟性を有する合成樹脂材又は柔軟性を有するゴム材が一体に被覆（モールド）されることにより、荷重測定機構は完全に被覆されるため、皿受け部材とケースとの間から水が浸入しても荷重測定機構が直接水を被るおそれはなく、荷重測定機構に防水機能が発揮される。防水性付与部材の被覆は、皿受け部材と荷重測定機構とに亘って成形型を用いてモールドすることによって一体成形できるため、別体の取付け部品を用いて組み付け作業する必要がなく、防水構造も簡素化される。
【００２９】
本発明において、合成樹脂材又はゴム材としては、皿受け部材や荷重測定機構の動きを阻害しない程度の柔軟性（可撓性及び伸縮性）を発揮する合成樹脂又はゴムを用いることができる。
【００３０】
このような合成樹脂材としては、ポリ塩化ビニル、ポリエチレン、ナイロン、ポリカーボネート、ポリエチレンテレフタレート、ポリプロピレン、ポリイミド等が挙げられる。中でも耐候性が良好である点でポリカーボネートが好ましい。
【００３１】
また、ゴム材としては、シリコーンゴム、ニトリルゴム、エチレンプロピレンゴム、フッ素ゴム等が挙げられる。中でも人体への影響が少ない点でシリコーンゴムが好ましい。
【００３２】
以下、具体的な態様について図面を用いて更に詳細に説明する。
【００３３】
（第１の態様）
図１は本発明の第１の態様に係る防水構造が設けられた電子秤の全体斜視図、図２はその内部構造を示す縦断面図、図３は計量皿を取り外した状態を示す全体斜視図、図４は第１の態様に係る電子秤の皿受け部材と上ケースとの部分断面図である。
【００３４】
電子秤１は、ケース２の上面に計量皿３を有している。ケース２は、ここでは防水用の不図示のガスケットを挟んで嵌め合わされる上ケース２ａと下ケース２ｂとからなり、これら上ケース２ａと下ケース２ｂの間に秤の主要構成部品が収容されている。図中、４は計量値等を表示する表示部、５はＯＮボタン５ａとＯＦＦボタン５ｂからなる電源スイッチであり、これらは表面が樹脂シート等によって被覆されることで防水性を有している。また、６はケース２内に設けられ、表示部４及び電源スイッチ５と電気的に接続される回路ユニットである。
【００３５】
なお、図示しないが、ケース２内には乾電池等の電源を収容することができる。また、このように電源を内部に収容するものに代えて、電源を外部から取り込む外部電源タイプとすることもできる。
【００３６】
ケース２の内部には荷重測定機構としてのロードセル７が収容されている。ロードセル７は、起歪体７ａに４つの歪ケージ７ｂが取付けられてなり、下ケース２ｂの内底面に固定された固定台８上に立設されている。起歪体７ａの上端には皿受け部材９が取付けられている。計量皿３は、この皿受け部材９上に配置されており、皿受け部材９によって下面が支持されている。
【００３７】
電子秤１は、計量皿３上に被計量物が載置された際、その荷重によって皿受け部材９が微量下降し、それがロードセル７の起歪体７ａに伝達されて起歪体７ａを歪み変形させる。起歪体７ａの変形量は歪ゲージ７ｂによって検出され、回路ユニット６によってその検出値から荷重が測定され、表示部４に表示されるようになっている。
【００３８】
皿受け部材９は、本実施形態では平面形状が略四角形状の平板によって形成されているが、平面形状は特に問わない。上ケース２ａには、この皿受け部材９の平面の外形形状よりもやや大きく、皿受け部材９を収容し得る程度の開口部２ａ１が形成されている。皿受け部材９は、計量皿３に被計量物が載置されて微量下降した際に計量皿３の下面が上ケース２ａの上面と接触することのないように、この開口部２ａ１の内側に、皿受け部材９上面が上ケース２ａの上面よりもやや上方に突出する高さとなるように配置されることでケース２の上面に露出しており、この皿受け部材９の上面に計量皿３が載置されることで、計量皿３の下面とケース２の上面との間に所定の隙間を形成している。
【００３９】
皿受け部材９の外周と上ケース２ａの開口部２ａ１の内周との間には、両者の間隙を埋めるように、皿受け部材９の外周と開口部２ａ１の内周とに亘って、上記の柔軟性を有する防水性付与部材である合成樹脂材又はゴム材が一体成形され、間隙が封止されている。図２、図３中の１０は合成樹脂材又はゴム材が一体成形されることによって形成された封止部である。封止部１０は皿受け部材９と上ケース２ａとに亘って一体成形されており、これによって皿受け部材９と上ケース２ａとが一体に繋がっている。従って、この封止部１０によって可動部材である皿受け部材９と固定部材である上ケース２ａとの間からの水の浸入が阻止され、防水性が付与される。封止部１０は柔軟性を有するため、計量時の皿受け部材９の下降動作に支障をきたすことはない。
【００４０】
封止部１０は、上ケース２ａの開口部２ａ１内に皿受け部材９を配置させた状態で成形型にインサートして、合成樹脂材又はゴム材を一体成形することによって形成される。このため封止部１０を押え板やＯリング等の別体の取付け部品を用いて組み付け作業する必要はない。
【００４１】
なお、この態様では、少なくとも上ケース２ａと皿受け部材９は、封止部１０を一体成形する際の熱及び圧力に耐え得る材質である必要があり、ステンレス等の金属製または耐熱性の高い合成樹脂が用いられる。
【００４２】
また、封止部１０は、皿受け部材９の上面よりも突出しないように、該皿受け部材９の上面又はケース２の上面と面一状に形成される。面一状とすることでごみや水分が溜まるような溝部が形成されないため、衛生面からも好ましい。
【００４３】
封止部１０は、計量時の皿受け部材９の下降動作をより円滑に行い得るようにするためには、可及的に薄く形成することが好ましい。また、図４に示すように断面形状を蛇腹状とすることで、皿受け部材９の下降動作に更に容易に追従し得るようにしてもよい。
【００４４】
計量皿３と皿受け部材９との間は適宜の取付け構造を採用することができる。計量皿３は皿受け部材９上に単に載置されるだけでもよいが、封止部１０を形成した後であれば、接着やねじ止めによって取付けるようにしてもよい。また、計量皿３自体を回転させることで皿受け部材９に対して螺着する構造としてもよい。その他、計量皿３の下面と皿受け部材９の上面との間で簡単に着脱可能となるように係合させる構造であってもよい。封止部１０は皿受け部材９の上面よりも上方に突出していないため、このように計量皿３を皿受け部材９の上面に取付けても、ケース２の上面からの取付け高さ位置が非防水性の電子秤に比べて高くなることはない。
【００４５】
（第２の態様）
図５は本発明の第２の態様に係る防水構造が設けられた電子秤の内部構造を示す縦断面図、図６は計量皿を取り外した状態を示す部分断面図、図７は計量皿を取り外した状態を示す全体斜視図である。電子秤１の外観形状は第１の態様と同一であるため、計量皿を有する全体斜視図は図１を援用する。また、第１の態様に示した電子秤１と同一符号の部位は同一構成の部位であるため、それらについての詳細な説明は省略する。
【００４６】
この電子秤１では、皿受け部材９の外周と上ケース２ａの開口部２ａ１の内周との間に形成される間隙を塞ぐように、皿受け部材９と開口部２ａ１とに亘って、上記の柔軟性を有する合成樹脂材又は柔軟性を有するゴム材からなる被覆シート１１が接着されている。従って、この被覆シート１１によって皿受け部材９と上ケース２ａとの間からの水の浸入が阻止され、防水性が付与される。被覆シート１１は柔軟性を有するため、計量時の皿受け部材９の下降動作に支障をきたすことはない。
【００４７】
皿受け部材９の上面には計量皿３の下面に突設された凸部３ａと係合して計量皿３の位置決めを行うための凹部９ａが形成されている。被覆シート１１は、中央に皿受け部材９の凹部９ａを露出させる開口１１ａを有しており、この凹部９ａを除く上面全面から上ケース２ａの開口部２ａ１の周縁近傍に至る大きさのドーナツ状に形成されている。そして、皿受け部材９の上面から上ケース２ａの上面にかけて接着剤層１２によって接着されている。
【００４８】
電子秤１に防水性を付与するこの被覆シート１１は、皿受け部材９と上ケース２ａとに亘って接着するだけでよいため、従来のように押え板やＯリング等の別体の取付け部品を用いて止着するといった組み付け作業の必要がなく、また、薄いシート状又はフィルム状のもので十分であるため、製品の大型化を招くことはない。
【００４９】
また、防水性を付与するために被覆シート１１を接着するだけでよいため、ケース２の上ケース２ａと皿受け部材９に材質の制約がなく、安価で成形容易な合成樹脂製とすることができる。
【００５０】
更に、計量皿３と皿受け部材９は別部品であり、凹部９ａと凸部３ａとの係合によって位置決めされて載置される構造であるため、被覆シート１１の接着時に計量皿３が邪魔となることはない。
【００５１】
計量皿３の凸部３ａの突出高さ寸法は凹部９ａの深さ寸法よりも高くなるように形成することが好ましい。これによって皿受け部材９上に計量皿３を載置したとき、計量皿３の下面と上ケース２ａの上面（被覆シート１１の上面）との間に、計量時の皿受け部材９の下降量に見合うだけの隙間を容易に確保することができる。また、図６に示すように、皿受け部材９の上面と上ケース２ａの上面とを面一状に形成することもできる。この場合、被覆シート１１は面一状の皿受け部材９と上ケース２ａとの間に亘って接着することができ、接着作業も容易且つ安定して行えるようになる。
【００５２】
また、図示しないが、皿受け部材９の上面を被覆シート１１の厚み＋接着剤層１２の厚み分だけ上ケース２ａの上面よりも下位となるように形成するとともに、上ケース２ａの上面に、被覆シート１１の外形形状に合致させた凹部を形成し、この凹部内から皿受け部材９の上面に亘って被覆シート１１が接着されるようにすることで、上ケース２ａの上面から被覆シート１１の上面にかけて面一状となるように形成してもよい。このようにすることで、ケース２の上面に被覆シート１１による段差が形成されないため、清掃が容易となり、また、衛生面からも好ましい。
【００５３】
なお、計量皿３と皿受け部材９の凹凸係合は逆であってもよく、計量皿３の下面に凹部を形成し、皿受け部材９の上面に凸部を形成してもよい。
【００５４】
また、この被覆シート１１も、計量皿３の下降時に干渉しないものであれば、図４と同様に蛇腹状に形成してもよい。
【００５５】
（第３の態様）
図８は本発明の第３の態様に係る防水構造が設けられた電子秤の内部構造を示す縦断面図である。電子秤１の外観形状は第１の態様と同一であるため、全体斜視図は図１を援用する。また、第１の態様及び第２の態様に係る電子秤１と同一符号の部位は同一構成の部位であるため、それらについての詳細な説明は省略する。
【００５６】
この電子秤１では、皿受け部材９と上ケース２ａの開口部２ａ１との間に形成される間隙を通して浸入する水から遮蔽するように、皿受け部材９の外周と、この皿受け部材９の下面に連結されたロードセル７とに亘り、且つロードセル７の全体を被覆するように、上記の柔軟性を有する合成樹脂材又は柔軟性を有するゴム材が一体にモールドされることによって被覆されている。図８中の１３はモールド部である。
【００５７】
モールド部１３の上端は、皿受け部材９の上面と面一状又は該上面よりも下位にあり、皿受け部材９の外周側面９ｂの全周を取り囲み、且つ、そこから下方に延び、下端は固定台８の上面に達している。これによりロードセル７の全体が、皿受け部材９と固定台８との接続部位を除いて、モールド部１３によって完全に被覆されている。合成樹脂材又はゴム材は柔軟性を有するため、皿受け部材９とロードセル７とを一体に被覆しても、計量時に皿受け部材９が下降した際、モールド部１３と起歪体７ａとが一体となって歪変形し、荷重を測定することができる。
【００５８】
一方、ケース２の内部には、モールド部１３によって一体化された皿受け部材９とロードセル７の収容部分及び開口部２ａ１を取り囲むように、上ケース２ａと下ケース２ｂとに亘って延びる防水壁２ｃが立設されている。従って、ケース２の内部は、この防水壁２ｃを境にして開口部２ａ１よりも内側の皿受け部材９及びロードセル７が収容されている空間とそれよりも外側の空間とに隔絶されている。この防水壁２ｃは上ケース２ａと下ケース２ｂのいずれか一方又は双方から立設され、上ケース２ａと下ケース２ｂとの嵌め合い構造と同様に、防水用の不図示のガスケットによって突き合わせ部に防水性が付与されている。
【００５９】
この態様では、モールド部１３は開口部２ａ１や防水壁２ｃと接しておらず、開口部２ａ１や防水壁２ｃとモールド部１３との間には若干の間隙が形成される。従って、この間隙に水が浸入する可能性があるが、皿受け部材９とロードセル７はモールド部１３によって一体に被覆されて防水性が付与されているため、電気部品であるロードセル７が直接水を被ることはない。また、ケース２の内部へも防水壁２ｃによって水の浸入が阻止されるため、全体として防水性が付与される。
【００６０】
なお、ロードセル７の歪ゲージ７ｂからの配線１４は、グロメット１５を介して防水壁２ｃを貫通し、回路ユニット６と接続されている。
【００６１】
この態様では、皿受け部材９の上面は上ケース２ａの上面よりも上方に突出するように設けられているが、第２の態様で説明したように、計量皿３の下面と皿受け部材９の上面との間で、凸部と凹部による凹凸係合するようにしてもよく、その場合の凸部の突出高さを凹部の深さよりも高く形成することで、皿受け部材９の上面を上ケース２ａの上面と面一状となるようにしてもよい。
【００６２】
また、計量皿３と皿受け部材９との凹凸係合は、第１の態様にも同様に適用することができる。
【符号の説明】
【００６３】
１：電子秤
２：ケース
２ａ：上ケース
２ａ１：開口部
２ｂ：下ケース
２ｃ：防水壁
３：計量皿
３ａ：凸部
４：表示部
５：電源スイッチ
５ａ：ＯＮボタン
５ｂ：ＯＦＦボタン
６：回路ユニット
７：ロードセル
７ａ：起歪体
７ｂ：歪ゲージ
８：固定台
９：皿受け部材
９ａ：凹部
１０：封止部
１１：被覆シート
１１ａ：開口
１２：接着剤層
１３：モールド部
１４：配線
１５：グロメット
【図１】
2014106153.tif 000003
【図２】
2014106153.tif 000004
【図３】
2014106153.tif 000005
【図４】
2014106153.tif 000006
【図５】
2014106153.tif 000007
【図６】
2014106153.tif 000008
【図７】
2014106153.tif 000009
【図８】
2014106153.tif 000010